(57)【特許請求の範囲】
【請求項１】
厚さの異なる単位帳票の連続した連続帳票が複数用意されて供給され、所定の接着材を塗布して当該複数の連続帳票同士を重ね合わせ接着する帳票圧着装置において、
少なくとも、一の前記連続帳票を供給手段により供給、搬送するに際し、テンションを検出して当該供給手段の送り量を制御する供給制御手段と、
前記複数の連続帳票を２つの圧着ローラによる圧着手段により荷重を加えて重ね合わせ接着するに際し、当該圧着手段の加重による連続帳票の伸びによる前段に生じた弛みに対して周速の低下した圧着ローラの回転量を、他方の圧着ローラの回転量より当該連続帳票の厚さに応じた設定により増加させる傾向で制御する圧着制御手段と、
を有することを特徴とする帳票圧着装置。
【請求項２】
請求項１記載の帳票圧着装置であって、前記圧着制御手段により制御する前記圧着手段の回転量を設定する設定手段を備えることを特徴とする帳票圧着装置。
【請求項３】
請求項１又は２記載の帳票圧着装置であって、前記圧着手段による重ね合わせ接着の後に引張り手段により搬送するに際し、テンションを検出して当該引張り手段の送り量を制御する引張り制御手段を備えることを特徴とする帳票圧着装置。
【請求項４】
請求項１〜３の少なくとも何れかに記載の帳票圧着装置であって、前記供給制御手段は、前記圧着手段の前段に生じた弛みに対して前記供給手段の送り量を減少させる傾向で制御することを特徴とする帳票圧着装置。
【請求項５】
請求項１〜４の少なくとも何れかに記載の帳票圧着装置の工程を経て作製される重ね合わせ帳票であって、前記圧着手段による重ね合わせ接着後に前記単位帳票毎に切断されて作製されることを特徴とする重ね合わせ帳票。
【発明の詳細な説明】
【０００１】
【発明の属する技術分野】
本発明は、複数の帳票に対して剥離自在な接着材を介在させて圧着し、重ね合わせ帳票を作製する帳票圧着装置及び重ね合わせ帳票に関する。
【０００２】
【従来の技術】
近年、複数の帳票を剥離自在に重ね合わせ接着して葉書等の郵送体や、宅配便等に使用される配送伝票などに適用することが一般的となってきている。これら複数の帳票を剥離自在とするためには接着力の弱い接着材が用いられることから通常では剥離できないように各帳票間に大きく加圧する必要がある。この加圧は、帳票用紙の搬送に弛み等の影響を与えることから、これら影響を回避させることが必要となる。
【０００３】
図４に、従来の帳票圧着装置における圧着の説明図を示す。図４（Ａ）に示す帳票圧着装置１０１は、例えば２枚の帳票を重ね合わせ接着する場合を示したもので、単位帳票が連続した２つの連続帳票１０２Ａ，１０２Ｂをそれぞれ供給する第１及び第２のアンワインダを備え、各連続帳票１０２Ａ，１０２Ｂは、それぞれインフィードローラ１０３Ａ，１０３Ｂにより印刷部１０４Ａ，１０４Ｂに搬送される。
【０００４】
各印刷部１０４Ａ，１０４Ｂで所定の印刷後、それぞれコレート部１０５Ａ，１０５Ｂを介して圧着胴１０６に搬送される。この圧着胴１０６は、同径の金属ローラ１０６Ａ，１０６Ｂにより構成され、当該金属ローラ１０６Ａ，１０６Ｂ間で搬送されてきた２つの連続帳票１０２Ａ，１０２Ｂを重ね合わせた状態で例えば８〜１０トンの荷重を加えて接着する。この場合、圧着される用紙表面には予め接着材が塗布されていて、圧着後に剥離可能なようにするために、用紙表面の接着層上に印刷を行って接着強度を弱くしている（印刷パターンの面積量により接着強度の調整が可能である）。そして、圧着後にプルローラ１０７を介して搬送され、重ね合わされた連続帳票１０８として巻取ワインダに巻き取られる構成である。
【０００５】
このような帳票圧着装置１０１においては、アンワインダから巻取ワインダまでの連続帳票の搬送状態で異常な弛みや張りを防止するために、インフィードローラ１０３Ａ，１０３Ｂとプルローラ１０７との間でテンション調整を行っている。
【０００６】
【発明が解決しようとする課題】
ところで、圧着胴１０６Ａ（１０６Ｂ）は、連続帳票１０２Ａ（１０２Ｂ）の紙厚によりその引き率（回転量）が変化する。すなわち、引き率は、図４（Ｂ）に示すように当該圧着胴１０６Ａ（１０６Ｂ）の中心から連続帳票１０２Ａ（１０２Ｂ）の厚さの中心までの距離Ｌ０と回転数に応じた周速で定まる。また、連続帳票１０２Ａ（１０２Ｂ）には圧着胴１０６Ａ（１０６Ｂ）の大きな荷重により伸び、特に紙厚が厚いほど張られてしまう（印刷機内のテンションが高くなる）性質がある。
【０００７】
したがって、２つの連続帳票１０２Ａ，１０２Ｂの紙厚が異なり、厚い連続帳票（１０２Ａとする）の伸びにより周速が変化すると圧着胴１０６Ａ，１０６Ｂ間で紙送りに差が生じて弛みが発生する。ところが、圧着胴１０６Ａ，１０６Ｂにより大きな荷重が印加されていることから、上記弛みに対するインフィードローラ１０３Ａ（１０３Ｂ）とプルローラ１０７との間のテンションが当該圧着胴１０６Ａ，１０６Ｂであたかも固定されているような状態となって断ち切られ、装置全体のテンション調整が不安定になるという問題がある。
【０００８】
一方、単一の連続帳票に対する印刷工程においても圧胴が一般的に用いられ、送りローラ、圧胴ローラ、引張りローラの回転制御でテンション調整することが特開平１１−１３９６４２号公報により知られている。しかし、このような技術は、印刷工程に使用される圧胴ローラは、一方が金属で他方がゴム系の材質が用いられるのが一般的であって荷重が数トン程度であることから加圧による伸びの影響はなく印刷工程全体でのテンションを対象とするもので、上記複数帳票の重ね合わせ接着の工程では適用することができない。
【０００９】
そこで、本発明は上記課題に鑑みなされたもので、複数の連続帳票の重ね合わせ接着時に印加される大きな荷重で生じる弛みを回避して装置全体おける搬送テンションの安定性の向上を図る帳票圧着装置及び重ね合わせ帳票を提供することを目的とする。
【００１０】
【課題を解決するための手段】
上記課題を解決するために、請求項１の発明では、厚さの異なる単位帳票の連続した連続帳票が複数用意されて供給され、所定の接着材を塗布して当該複数の連続帳票同士を重ね合わせ接着する帳票圧着装置において、少なくとも、一の前記連続帳票を供給手段により供給、搬送するに際し、テンションを検出して当該供給手段の送り量を制御する供給制御手段と、前記複数の連続帳票を２つの圧着ローラによる圧着手段により荷重を加えて重ね合わせ接着するに際し、当該圧着手段の加重による連続帳票の伸びによる前段に生じた弛みに対して周速の低下した圧着ローラの回転量を、他方の圧着ローラの回転量より当該連続帳票の厚さに応じた設定により増加させる傾向で制御する圧着制御手段と、を有する構成とする。
【００１１】
請求項２〜４の発明では、「前記圧着制御手段により制御する前記圧着手段の回転量を設定する設定手段を備える」構成であり、
「前記圧着手段による重ね合わせ接着の後に引張り手段により搬送するに際し、テンションを検出して当該引張り手段の送り量を制御する引張り制御手段を備える」構成であり、
「前記供給制御手段は、前記圧着手段の前段に生じた弛みに対して前記供給手段の送り量を減少させる傾向で制御する」構成である。
【００１２】
請求項５の発明では、請求項１〜４の少なくとも何れかに記載の帳票圧着装置の工程を経て作製される重ね合わせ帳票であって、前記圧着手段による重ね合わせ接着後に前記単位帳票毎に切断されて作製される重ね合わせ帳票が構成される。
【００１３】
このように、連続帳票の供給、搬送に際してテンション検出による送り量を制御させると共に、厚さの異なる複数の連続帳票を重ね合わせ接着するに際して圧着時の２つの圧着ローラによる圧着手段の加重による連続帳票の伸びによる前段に生じた弛みに対して周速の低下した圧着ローラの回転量を、他方の圧着ローラの回転量より当該連続帳票の厚さに応じた設定により増加させる傾向で制御させる。すなわち、重ね合わせ接着時に印加される大きな荷重により生じる弛みを送り量のテンション制御と圧着手段の回転量制御により回避することが可能となり、装置全体の連続帳票の搬送に対するテンション調整の安定性の向上を図ることが可能となるものである。
【００１４】
【発明の実施の形態】
以下、本発明の好ましい実施形態を図により説明する。
図１に、本発明の帳票圧着装置の概略構成図を示す。図１に示す帳票圧着装置１１は、例えば２枚の帳票を重ね合わせ接着させた重ね合わせ帳票を作製する場合を例としたもので、２つの連続帳票１２Ａ，１２Ｂが巻回されたアンワインダ１３Ａ，１３Ｂが用意される。この連続帳票１２Ａ，１２Ｂは、単位帳票が連続されたもので、印刷、接着材の塗布、重ね合わせ接着、巻き取りの後に当該単位帳票毎に切断されて重ね合わせ帳票として作製するためのものである。この場合、第１の連続帳票１２Ａは例えばタック紙で表面に接着材が塗布され裏面には粘着材と剥離紙が張り合わされたものであり、第２の連続帳票１２Ｂは例えば上質紙で、後述の印刷手段により当該第１の連続帳票１２Ａのタック紙と接着されるものである。
【００１５】
各アンワインダ１３Ａ，１３Ｂより第１及び第２の連続帳票１２Ａ，１３Ｂを送り出すための供給手段である各インフィードローラ１４Ａ，１４Ｂが配置され、その送り側にテンションを検出する検出手段であるローラを兼ねたテンション検出部１５Ａ，１５Ｂがそれぞれ配置される。また、それぞれのラインで印刷手段１６Ａ，１６Ｂが配置される。この印刷手段１６Ａ，１６Ｂは、第１及び第２の連続帳票１２Ａ，１２Ｂに対して所定の印刷を行うもので、例えば印刷手段１６Ａでは第１の連続帳票１２Ａにおける用紙表面の接着層上に印刷を行い、剥離可能なように接着強度を弱くしている（印刷パターンの面積量により接着強度を調整する）。
【００１６】
それぞれの印刷手段１６Ａ，１６Ｂの搬送側にはコレート部１７Ａ，１７Ｂ、圧着手段１８が順次配置される。圧着手段１８は、上圧着ローラ１８Ａ及び下圧着ローラ１８Ｂのそれぞれが所定の金属により形成されて構成され、連続帳票の重ね合わせに際して例えば８〜１０トンの荷重を印可することで、上記のような剥離自在な重ね合わせ接着を可能とする。そして、上記と同様なローラを兼ねたテンション検出部１９と、引張り手段であるプルローラ２０が配置されて、排出側に重ね合わせ接着した重ね合わせ連続帳票２１を巻き取る巻取部２２が配置される。
【００１７】
一方、当該帳票圧着装置１１は、インフィードローラ１４Ａの送り量を制御する供給制御手段である第１インフィードローラ制御手段２３Ａと、インフィードローラ１４Ｂの送り量を制御する供給制御手段である第２インフィードローラ制御手段２３Ｂとを備える。また、圧着手段１８（上圧着ローラ１８Ａ、下圧着ローラ１８Ｂ）を回転制御して引き率を制御する圧着制御手段である圧着ローラ制御手段２４を備えると共に、プルローラ２０の送り量を制御するプルローラ制御手段２５を備える。
【００１８】
ここで、図２に、図１の帳票圧着装置における主要部のブロック構成図を示す。図２（Ａ）は上記第１インフィードローラ制御手段２３Ａ（第２インフィードローラ制御手段２３Ｂ、プルローラ制御手段２５も同様の構成である）のブロック構成図であり、図２（Ｂ）は圧着ローラ制御手段２４のブロック構成図である。図２（Ａ）において、適宜テンションの基準値が設定された比較手段３１を備え、この比較手段３１の比較結果に応じて速度制御値を決定するテンション系速度制御手段３２を備えて、インフィードローラ１４Ａ（１４Ｂ）を回転制御して送り量を制御する。
【００１９】
例えば、インフィードローラ１４Ａ（１４Ｂ）の駆動がサーボモータで行う場合として、連続帳票１２Ａ（１２Ｂ）の弛みに対して当該インフィードローラ１４Ａ（１４Ｂ）による送り量をサーボモータに対するサーボ電流により制御する。なお、プルローラ２０の駆動にサーボモータを用いる場合として重ね合わせ帳票２１の弛みや張り（テンション検出部１９による検出）に対してもサーボ電流によるテンション制御を行う。
【００２０】
また、図２（Ｂ）において、圧着ローラ制御手段２４は、引き率系速度制御手段４１を備えると共に、この引き率系速度制御手段４１に対し、圧着ローラ１８Ａ，１８Ｂを速度制御して所定の引き率とするための設定を行う設定入力手段４２を備える。この設定入力手段４２は、例えば他の要素を含まない独立させた手動による設定を行う構成のもので、対象とする連続用紙の厚さに応じた引き率を微調整することができる。
【００２１】
なお、例えば、連続帳票１２Ａ（１２Ｂ）の弛みに対して当該インフィードローラ１４Ａ（１４Ｂ）による送り量を減少（回転減速）させる傾向で制御する。また、引き率系速度制御手段４１は、連続帳票１２Ａ（１２Ｂ）の弛みに対して当該圧着ローラ１８Ｂ（１８Ａ）による引き率を増加（回転増速）させる傾向で制御する。
【００２２】
続いて、図３に、図１の帳票圧着装置の動作説明図を示す。ここでは、上述のように第１の連続帳票１２Ａを厚紙（タック紙）とし、第２の連続帳票１２Ｂを薄紙（上質紙）として説明する。まず、図２に示す第１及び第２インフィードローラ制御手段２３Ａ，２３Ｂ及びプルローラ制御手段２５において適正テンションの基準設定値が設定される。また、圧着ローラ制御手段２４に対しては第１の連続帳票１２Ａの厚さに応じた計算上の標準値を設定入力手段４２により設定される。
【００２３】
そこで、第１の連続帳票１２Ａがアンワインダ１３Ａからインフィードローラ１４Ａにより印刷手段１６Ａに供給されて所定内容の印刷及び接着材塗布の後、コレート部１７Ａを介して圧着手段１８に搬送される。一方、第２の連続帳票１２Ｂがアンワインダ１３Ｂからインフィードローラ１４Ｂにより印刷手段１６Ｂに供給されて所定内容の印刷がされ、コレート部１７Ｂを介して圧着手段１８に搬送される。
【００２４】
この場合、圧着手段１８までの第１及び第２の連続帳票１２Ａ，１２Ｂの弛みや張りに対し、それぞれのテンション検出手段１５Ａ，１５Ｂの検出値と基準設定値とを上記図２（Ａ）に示すそれぞれの比較手段３１が比較し、上記検出値が基準設定値と同じになるようにそれぞれのテンション系速度制御手段３２が当該各インフィードローラ１４Ａ，１４Ｂの回転量を制御する。
【００２５】
圧着手段１８では、重ね合わせる第１及び第２の連続帳票１２Ａ，１２Ｂを上圧着ローラ１８Ａと下圧着ローラ１８Ｂにより、例えば約９トンの荷重を加えて圧着し、重ね合わせ帳票２１として送り出す。この場合の上圧着ローラ１８Ａ及び下圧着ローラ１８Ｂの回転駆動による引き率は上記設定された値に即したものとなる。
【００２６】
そして、プルローラ２０を介して搬送し、巻取部２２に巻き取らせるもので、搬送時の弛みや張りに対してテンション検出部１９の検出値と基準設定値とを上記比較手段３１が比較し、上記検出値が基準設定値と同じになるようにテンション系速度制御手段３２が当該プルローラ２０の回転量を制御する。
【００２７】
ここで、圧着手段１８において大きな荷重により紙厚の第１の連続帳票１２Ａが伸び、前述の図４に示すように下圧着ローラ１８Ｂの周速が伸びに応じて低下することにより、当該圧着手段１８の手前で弛みを生じる。そこで、圧着ローラ制御手段２４の設定入力手段４２により微増速させる値を入力することで引き率系速度制御手段４１が当該下圧着ローラ１８Ｂを微増速させ、引き率を微増加させる。これと同時にテンション検出部１５Ａでは弛みによる検出量に応じてテンション系速度制御手段３２がインフィードローラ１４Ａを微減速させ、送り量を微減少させる。
【００２８】
これにより、圧着手段１８での用紙伸びによる弛みが回避されて適正なテンションで第１の連続帳票１２Ａを搬送させることができるものである。例えば、圧着前の第１及び第２の連続帳票１２Ａ，１２Ｂの合計厚みが約２６０μｍの場合、約９トンの圧着で貼り合わせ合計厚みが約２００μｍとなって約６０μｍの厚み変化が生じるのに対して、圧着ローラ（１８Ｂ）の回転を０．０３％上昇させた引き率とすることで弛みが解消されるものである。
【００２９】
すなわち、圧着手段１８で引き率を変化させることで、当該圧着手段１８で断ち切られたテンション制御が、あたかもインフィードローラ１４Ａ（１４Ｂ）とプルローラ２０との間でテンション制御がなされているものとすることができるものである。
【００３０】
そして、このように第１及び第２の連続帳票１２Ａ，１２Ｂを圧着して重ね合わせ接着した重ね合わせ連続帳票２１を、単位帳票毎に切断して重ね合わせ帳票を作製させる。重ね合わせ帳票をテンション制御の安定した帳票圧着装置１１の工程を経て作製することから、ひいては歩留りが向上されて安価に作製することができるものである。
【００３１】
ところで、圧着手段１８の引き率（回転量）を紙厚に応じて当初から設定することも考えられるが、温度や湿度等の動作環境により伸びの度合いが変化することから、これを当初から計算等で予測して設定することは困難であり、伸びに応じてその都度設定値を設定することが望ましい。
【００３２】
このように、連続帳票の供給、搬送における弛みに対してインフィードローラの送り量を減少させる傾向で制御させると共に、連続帳票を重ね合わせ接着するに際して圧着時の引き率を増加させる傾向で制御させることにより、重ね合わせ圧着時に印加される大きな荷重により生じる弛みを回避することができ、装置全体の連続帳票の搬送に対するテンション調整の安定性の向上が図られるものである。
【００３３】
なお、上記実施形態では、第１の連続帳票１２Ａに厚紙を用いた場合を示したが、第２の連続帳票１２Ｂに厚紙を用いた場合でも同様である。また、上記設定入力手段４２による引き率の設定量を、手動によらずに弛みを検出したテンション検出部１５Ａ（１５Ｂ）からの検出量に基づいて行ってもよく、また用紙の厚さに対する手動による設定を基準としてテンション検出部１５Ａ（１５Ｂ）からの検出量で補正するようにしてもよい。
【００３４】
【発明の効果】
以上のように、請求項１の発明によれば、連続帳票の供給、搬送に際してテンション検出による送り量を制御させる供給制御手段を設けると共に、複数の連続帳票を重ね合わせ接着するに際して圧着時の２つの圧着ローラによる圧着手段の加重による連続帳票の伸びによる前段に生じた弛みに対して周速の低下した圧着ローラの回転量を、他方の圧着ローラの回転量より当該連続帳票の厚さに応じた設定により増加させる傾向で制御させる圧着制御手段を設けることにより、重ね合わせ接着時に印加される大きな荷重により生じる弛みを回避することができ、装置全体の連続帳票の搬送に対するテンション調整の安定性の向上を図ることができるものである。
【００３５】
請求項２の発明によれば、圧着手段の回転量を設定する設定手段を設けることにより、用紙の厚さに応じた引き率の調整を容易に行うことができる。
請求項３の発明によれば、重ね合わせ接着後に引張り制御手段で送り量をテンション制御させることにより、圧着手段で分断された装置全体のテンション制御の安定向上を図ることができる。
【００３６】
請求項４の発明によれば、供給手段の送り量を減少させる傾向で制御させることにより、上記同様に、重ね合わせ接着時に印加される大きな荷重により生じる弛みを回避することができ、装置全体の連続帳票の搬送に対するテンション調整の安定性の向上を図ることができる。
【００３７】
請求項５の発明によれば、上記の帳票圧着装置により複数の連続帳票が重ね合わせ接着され、単位帳票毎に切断して重ね合わせ帳票を作製させることにより、装置全体でテンション制御の安定した連続帳票の重ね合わせができ、ひいては歩留りが向上されて安価に作製することができるものである。
【図面の簡単な説明】
【図１】本発明の帳票圧着装置の概略構成図である。
【図２】図１の帳票圧着装置における主要部のブロック構成図である。
【図３】図１の帳票圧着装置の動作説明図である。
【図４】従来の帳票圧着装置における圧着の説明図である。
【符号の説明】
１１                    帳票圧着装置
１２Ａ                  第１の連続帳票
１２Ｂ                  第２の連続帳票
１４Ａ，１４Ｂ          インフィードローラ
１５Ａ，１５Ｂ，１９    テンション検出部
１６Ａ，１６Ｂ          印刷手段
１８                    圧着手段
２０                    プルローラ
２１                    重ね合わせ連続帳票
２３Ａ                  第１インフィードローラ制御手段
２３Ｂ                  第２インフィードローラ制御手段
２４                    圧着ローラ制御手段
２５                    プルローラ制御手段
３１                    比較手段
３２                    テンション系速度制御手段
４１                    引き率系速度制御手段
４２                    設定入力手段
【図１】
0004251740.tif 000002
【図２】
0004251740.tif 000003
【図３】
0004251740.tif 000004
【図４】
0004251740.tif 000005